(57)【要約】【課題】遊技球が落下する領域を広く確保することで、遊技球の落下軌跡が限定されることを防止する。【解決手段】レール飾り板のレール飾り部４１に第２アタッカ５０を設ける。第２アタッカ５０は、ソレノイド６５への給電、或いは給電停止によって開き位置と閉じ位置との間で回動する。第２アタッカ５０が閉じ位置に保持されると、球受け部の側壁面５８ｂがレール飾り部４１の遊技領域に面する周面４１ｃの一部を構成する。また、遮蔽部５２が、遊技盤に設けられた回収孔２１ｃを遮蔽し、遊技球８０が回収孔２１ｃへと案内されることを防止する。一方、第２アタッカ５０が開き位置に保持されると、球受け部５１が遊技領域の内部に突出し、遊技領域を流下する遊技球８０が受容される。球受け部５１に受容された遊技球８０は回収孔２１ｃへと案内された後、入賞検知センサ７６によって検知される。【選択図】        図１０
2007068901.tif 000002
【特許請求の範囲】
【請求項１】
遊技球が流下する遊技領域を規定する規定面を備えた枠体と、複数の構造物が配設された遊技盤とから構成される遊技盤ユニットにおいて、
遊技球の受容を不能とする受容不能位置と、遊技球の受容を可能とする受容可能位置との間で移動可能であり、前記受容不能位置に保持されたときに、前記規定面の一部となる第１側壁面と、前記受容可能位置に保持されたときに、前記遊技領域を流下する遊技球を受容する第２側壁面とを備えた可動物と、
前記可動物を受容不能位置と、受容可能位置との間で移動させる移動装置と、
前記受容可能位置にある前記可動物の第２側壁面によって受容された遊技球を回収する回収口と、
前記回収口によって回収された遊技球を検知する遊技球検知手段と、を備えたことを特徴とする遊技盤ユニット。
【請求項２】
前記回収口は、前記遊技領域内に設けられるとともに、前記可動物は、前記受容不能位置に保持された場合に前記回収口を遮蔽する遮蔽部を備えており、
前記可動物が前記受容可能位置に移動したときに、前記遮蔽部における回収口の遮蔽が解除されることを特徴とする請求項１記載の遊技盤ユニット。
【請求項３】
前記遮蔽部は、前記可動物が前記受容可能位置に移動したときに、前記規定面に当接することで、前記可動物を前記受容可能位置に保持するストッパを兼ねていることを特徴とする請求項２記載の遊技盤ユニット。
【請求項４】
請求項１〜３いずれか記載の遊技盤ユニットが組み込まれるとともに、
前記遊技盤ユニットの遊技領域に向けて遊技球の打ち出しを行う発射装置と、
前記遊技球検知手段からの検知信号が出力された場合に、遊技球の払い出しを行う払い出し装置と、
前記移動装置の駆動制御を行う駆動制御手段とを備えたことを特徴とする弾球遊技機。
【発明の詳細な説明】
【技術分野】
【０００１】
本発明は、遊技球が流下する遊技領域に複数の構造物が設けられた遊技盤ユニット、及び該遊技盤ユニットが組み込まれたパチンコ機等の弾球遊技機に関するものである。
【背景技術】
【０００２】
パチンコ店等の遊技場に設置されるパチンコ機は、遊技媒体である遊技球に一定の価値が与えられて、遊技を行って獲得した遊技球を種々の景品に交換することができる。このようなパチンコ機の場合、操作ハンドルを操作すると、パチンコ機内部に設けられた発射装置が駆動して遊技球の打ち出しが行われ、打ち出された遊技球は案内通路を通過して、遊技領域の上方から、遊技領域に導出される。遊技領域に導出された遊技球は、遊技領域を流下し、例えば障害釘や風車によって、その流下方向を変化させながら、入賞チャッカー、スタートチャッカー及びアタッカ等の入賞領域に入賞する、或いはアウト口によって回収される。
【０００３】
最近のパチンコ機では、遊技領域のほぼ中央にセンター役物と呼ばれる構造物が設けられていることが多く、また、センター役物が遊技領域に占める領域が拡大する傾向にあるため、例えば入賞チャッカーを、遊技領域に設けられた装飾用の構造物の一部として設け、遊技領域における遊技球が流下する領域を広く確保することが考えられている（特許文献１）。また、この他に、ガイドレールに沿って発射された遊技球の軌道を変化させずに入賞させることができる入賞装置を設けることも考えられている（特許文献２）。
【特許文献１】特開２００２−３４６０７６号公報
【特許文献２】特開平８−１９６６９８号公報
【発明の開示】
【発明が解決しようとする課題】
【０００４】
しかしながら、例えば装飾用の構造物と入賞チャッカーとを一体にした場合、装飾用の構造物の構造が複雑になり、また、装飾用の構造物が大きくなり、遊技球が落下する領域が少なくなるという問題がある。一方、ガイドレールに沿って発射された遊技球の軌道を変化させずに入賞させることができる入賞装置を設けた場合、ガイドレールに沿って発射された遊技球の軌道に対する領域を確保する必要があり、遊技領域を広くしたとしても、結果的に遊技領域を確保したとは言い難いという問題がある。このようなパチンコ機で遊技を行った場合、遊技領域内を落下する遊技球の落下軌跡が限定されてしまうことになるので、遊技性が低減され、客離れをし易いパチンコ機となりやすい。
【０００５】
本発明は、上記課題を解決するためになされたものであり、遊技球が落下する領域を広く確保することで、遊技球の落下軌跡が限定されることを防止することができるようにした遊技盤ユニット、及び弾球遊技機を提供することを目的とする。
【課題を解決するための手段】
【０００６】
上記目的を達成するために、本発明の遊技盤ユニットは、遊技球が流下する遊技領域を規定する規定面を備えた枠体と、複数の構造物が配設された遊技盤とから構成される遊技盤ユニットにおいて、遊技球の受容を不能とする受容不能位置と、遊技球の受容を可能とする受容可能位置との間で移動可能であり、前記受容不能位置に保持されたときに、前記規定面の一部となる第１側壁面と、前記受容可能位置に保持されたときに、前記遊技領域を流下する遊技球を受容する第２側壁面とを備えた可動物と、前記可動物を受容不能位置と、受容可能位置との間で移動させる移動装置と、前記受容可能位置にある前記可動物の第２側壁面によって受容された遊技球を回収する回収口と、前記回収口によって回収された遊技球を検知する遊技球検知手段と、を備えたことを特徴とする。
【０００７】
また、前記回収口は、前記遊技領域内に設けられるとともに、前記可動物は、前記受容不能位置に保持された場合に前記回収口を遮蔽する遮蔽部を備えており、前記可動物が前記受容可能位置に移動したときに、前記遮蔽部における回収口の遮蔽が解除されることを特徴とする。
【０００８】
また、前記遮蔽部は、前記可動物が前記受容可能位置に移動したときに、前記規定面に当接することで、前記可動物を前記受容可能位置に保持するストッパを兼ねていることを特徴とする。
【０００９】
また、本発明の弾球遊技機は、上記記載の遊技盤ユニットが組み込まれるとともに、前記遊技盤ユニットの遊技領域に向けて遊技球の打ち出しを行う発射装置と、前記遊技球検知手段からの検知信号が出力された場合に、遊技球の払い出しを行う払い出し装置と、前記移動装置の駆動制御を行う駆動制御手段とを備えたことを特徴とする。
【発明の効果】
【００１０】
本発明の遊技盤ユニットによれば、遊技球が流下する遊技領域を規定する規定面を備えた枠体と、複数の構造物が配設された遊技盤とから構成される遊技盤ユニットにおいて、遊技球の受容を不能とする受容不能位置と、遊技球の受容を可能とする受容可能位置との間で移動可能であり、前記受容不能位置に保持されたときに、前記規定面の一部となる第１側壁面と、前記受容可能位置に保持されたときに、前記遊技領域を流下する遊技球を受容する第２側壁面とを備えた可動物と、前記可動物を受容不能位置と、受容可能位置との間で移動させる移動装置と、前記受容可能位置にある前記可動物の第２側壁面によって受容された遊技球を回収する回収口と、前記回収口によって回収された遊技球を検知する遊技球検知手段と、を備えたから、遊技領域に可動役物へ向けて遊技球を入賞させるための経路を配置する空間を新たに確保する必要がなく、遊技領域において遊技球が落下する領域を確保することができる。さらに、遊技盤において可動役物を配置する領域を遊技領域の周縁部にすることで、遊技領域の拡大化を図ることができる。
【００１１】
また、前記回収口は、前記遊技領域内に設けられるとともに、前記可動物は、前記受容不能位置に保持された場合に前記回収口を遮蔽する遮蔽部を備えており、前記可動物が前記受容可能位置に移動したときに、前記遮蔽部における回収口の遮蔽が解除されるから、可動物が受容不能位置にある場合に、遊技球が回収口に入ることを確実に防止することができる。
【００１２】
また、前記遮蔽部は、前記可動物が前記受容可能位置に移動したときに、前記規定面に当接することで、前記可動物を前記受容可能位置に保持するストッパを兼ねているから、遊技領域を流下する遊技球が、第２側壁面に当接したときの衝撃を緩和することができるので、可動物の破損防止を図ることができる。
【００１３】
また、本発明の弾球遊技機によれば、上記記載の遊技盤ユニットが組み込まれるとともに、前記遊技盤ユニットの遊技領域に向けて遊技球の打ち出しを行う発射装置と、前記遊技球検知手段からの検知信号が出力された場合に、遊技球の払い出しを行う払い出し装置と、前記移動装置の駆動制御を行う駆動制御手段とを備えたから、遊技領域に可動役物へ向けて遊技球を入賞させるための経路を配置する空間を新たに確保する必要がなく、遊技領域において遊技球が落下する領域を確保することができる。さらに、遊技盤において可動役物を配置する領域を遊技領域の周縁部にすることで、遊技領域の拡大化を図ることができる。また、移動装置の駆動制御によっては、新たな遊技製を備えた弾球遊技機を提供することができる。
【発明を実施するための最良の形態】
【００１４】
図１は、本発明が実施されたパチンコ機（弾球遊技機）の外観を示す斜視図である。このパチンコ機２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技の際に遊技領域４３を流下する遊技球８０（図８参照）や、遊技領域４３に設けられた構造物は、上記開口４ａを遮蔽するガラス７を介して視認される。なお、符号８は、本体部材３を遊技場等に固定するための固定枠である。
【００１５】
下部扉５には、供給皿１０、操作ハンドル１１等が設けられる。供給皿１０には、遊技を開始する際に遊技球８０が供給される他に、遊技領域４３を流下する遊技球８０が、遊技領域４３に設けられた入賞装置のいずれかに入賞したことを受けて払い出される賞球としての遊技球８０が受容される。なお、符号１２は払出し口であり、この払出し口１２を介して、賞球としての遊技球８０が払い出される。
【００１６】
操作ハンドル１１は、遊技を行う際に操作される。この操作ハンドル１１を操作すると発射装置１５が駆動し、遊技球８０の打ち出しが開始される。なお、発射装置１５における遊技球８０の打ち出し強さは、操作ハンドル１１の操作量に応じて変化する。
【００１７】
図２は、本体部材３から遊技盤ユニット２０を取り外した状態を示す斜視図である。本体部材３には、上述した上部扉４及び下部扉５が回動自在に組み付けられる他に、発射装置１５、払出装置１６及び電源装置や、発射装置１５を駆動させる発射制御装置、払出装置１６を駆動制御する払出制御装置が組み付けられている。なお、符号３ａは、遊技盤ユニット２０が組み付けられる、組み付け空間部である。
【００１８】
図３に示すように、遊技盤ユニット２０は、詳細は図示しないが、遊技盤２１、支持体２２、レール飾り板（枠体）２３から構成され、遊技盤２１の前方からレール飾り板２３が、遊技盤２１の後方から支持体２２がそれぞれ組み付けられる。遊技盤２１には、その略中央に、センター役物２５と呼ばれる構造物が設けられている。このセンター役物２５の略中央は開口されており（図３符号２５ａ）、この開口２５ａから図柄表示装置２６が露呈されている。このセンター役物２５の周縁部には、障害釘や、風車などの構造物が配設されている。また、この他に、遊技盤２１には、始動チャッカー２７、入賞チャッカー２８等の入賞装置等の構造物が配設されている。なお、これら入賞装置については周知であるので、その詳細については省略する。また、遊技盤２１には、これら入賞装置の他に、第１アタッカ２９と呼ばれる可動入賞装置が配設されている。第１アタッカ２９は、例えば始動チャッカー２７に遊技球８０が入賞したときに行われる移行抽選で大当たりとなる場合に、開閉動作が行われる。なお、符号３０は飾り、符号３３はアウト口である。
【００１９】
支持体２２は、その略中央が開口された形状をしており、その前面に、回収通路３５が形成されている。この回収通路３５は、例えば始動チャッカー２７や入賞チャッカー２８に入賞した遊技球８０を、遊技場に設けられた回収タンク（図示せず）に案内するために設けられている。また、この支持体２２の上方、及び下方には、ボス３６が形成されている。このボス３６は、遊技盤２１に設けられた開口２１ａに挿入されることで、遊技盤２１に対する支持体２２の位置決めが行われ、ボス３６に設けられた開口３６ａに、レール飾り板２３の後面に設けられた操作つまみ４４が挿通される。なお、操作つまみ４４を回転させることによって、遊技盤２１がレール飾り板２３と支持体２２とによって挟持された状態で、レール飾り板２３と支持体２２とが係合される。この支持体２２の回収通路３５が設けられた面とは反対側の面には、移行抽選が行われた場合に図柄の可変表示や、デモンストレーション表示が行われる図柄表示装置２６（図２参照）や、該図柄表示装置２６を駆動制御する表示制御装置（図示せず）や、遊技における制御を行う遊技制御装置７５（図７参照）等が配設されている。
【００２０】
レール飾り板２３は、その中央が開口された形状から構成されている。レール飾り板２３には湾曲状のリブ４０が立設されている。このリブ４０の内壁面に沿って、金属製のガイドレールがリブ４０に押し当てられた状態で保持される。また、リブ４０の一端に連なって略Ｕ字状のレール飾り部４１が設けられている。レール飾り４１と、該レール飾りと対面するリブ４０の側壁面との間の空間が発射装置１５によって打ち出された遊技球８０が案内される案内通路４２となる。また、リブ４０の側壁面の一部と、レール飾り部４１の側壁面とが開口された部分に沿って設けられることにより、この開口された部分が遊技領域４３として規定される。このレール飾り板２３の裏面（リブ４０が立設された面とは反対側となる面）には、支持体２２のボス３６に設けられた開口３６ａに挿通される操作つまみ４４が回転自在に組み付けられている。なお、符号４６は、アウト口３３を形成するアウト口形成部である。
【００２１】
このレール飾り部４１には、第２アタッカ５０が設けられている。この第２アタッカ５０は、遊技領域４３を流下する遊技球８０が入賞不能な受容不能位置（図５参照）と、遊技領域４３を流下する遊技球８０を入賞可能とする受容可能位置（図６参照）との間で回動する。この第２アタッカ５０は、例えば、始動チャッカー２７に遊技球８０が入賞した際に行われる移行抽選で中当たりとなる場合に受容可能位置へと回動し、遊技領域４３を流下する遊技球８０が入賞可能となる。
【００２２】
図４〜図６に示すように、第２アタッカ（可動物）５０は、球受け部５１と、遮蔽部５２とを備えた構成となっている。球受け部５１は、第２アタッカ５０が受容不能位置に保持された場合には、レール飾り部４１の内部に収納され、第２アタッカ５０が受容可能位置に保持された場合に、遊技領域４３に突出する。この球受け部５１は、断面が略Ｖ字形状の受容片５３と、この略Ｖ字形状の断面と直交する方向における受容片５３の一端を塞ぐ扇板形状の板５４とから構成されている。受容片５３の屈曲された部分５５（以下、屈曲部と称す）には、略Ｖ字形状の断面と直交する方向に貫通された貫通孔５６が設けられており、この貫通孔５６に第２アタッカ５０の回動中心となる回動軸５７が挿通される。なお、この回動軸５７の一端は、レール飾り部４１に形成された切欠き部４１ａの近傍に設けられた軸受け穴４１ｂに、他端は、遊技盤２１に設けられた軸受け穴２１ｂにそれぞれ挿入されることによって、回動軸５７が所定位置に保持される。
【００２３】
上述した受容片５３の一片（以下、第１受容片と称する）５８は、第２アタッカ５０が受容可能位置に回動すると、遊技領域４３に突出される。このとき、第１受容片５８の側壁面（第２側壁面）５８ａによって遊技領域４３を流下する遊技球８０が受容される。なお、受容された遊技球８０は、側壁面５８ａに沿って転動し、第１受容片５８の側壁面５８ａと受容片５３の他片（以下、第２受容片と称する）５９の側壁面５９ａとの間に設けられた湾曲した周壁面６０まで転動する。この周壁面６０は、遊技盤２１に向けて下り傾斜しているので、この周壁面６０まで転動した遊技球８０は、遊技盤２１に設けられた回収孔（回収口）２１ｃに導かれる。なお、回収孔２１ｃに導かれた遊技球８０は、遊技盤２１の後面側（支持体２２が配設される面側）へ転動した後に、入賞検知センサ（遊技球検知手段）７６（図８参照）によって検知される。また、この第１受容片５８の側壁面（第１側壁面）５８ｂは、第２アタッカ５０が受容不能位置に保持された場合に、レール飾り部４１の遊技領域４３に面する周面（規定面）４１ｃの一部となる。なお、第１受容片５８の側壁面５８ａについては、その詳細を示していないが、側壁面５８ａは遊技盤２１に直交する壁面から構成される他に、ガラス７から遊技盤２１に向けて下り傾斜している壁面から構成することも可能である。
【００２４】
第２受容片５９は、第２アタッカ５０が受容可能位置に保持されると、レール飾り部４１に設けられた切欠き部４１ａを遮蔽し、該周面４１ｃに沿って流下する遊技球８０を第２受容片５９の側壁面５９ａに沿って、上述した周壁面６０まで導く。周壁面６０まで導かれた遊技球８０は、回収孔２１ｃに導かれる。また、第２受容片５９の側壁面５９ｂには、後述するソレノイド６５の駆動鉄芯６６が連結される際に、連結ピン７１が圧入される軸受け孔６１，６２を備えた軸受け片６３，６４が設けられている。なお、第２受容片５９の側壁面５９ａについては、その詳細を示していないが、側壁面５９ａは遊技盤２１に直交する壁面から構成される他に、ガラス７から遊技盤２１に向けて下り傾斜している壁面から構成することも可能である。なお、板５４は、受容片５３に受容された遊技球が、回収孔２１ｃに回収される際に、ガラス７に衝突することを防止するために設けられている。
【００２５】
遮蔽部５２は、略扇板形状から形成され、第１受容片５８の先端部（板５４が形成されている一端部とは反対側の端部）に、且つ第１受容片５８の側壁面５８ａから遊技領域４３に向けて突出するように設けられている。遮蔽部５２は、前記第２アタッカ５０が受容不能位置に保持された場合に、遊技盤２１に設けられた回収孔２１ｃを遮蔽し、遊技領域４３を流下する遊技球８０が回収孔２１ｃに入ることを防止する。また、遮蔽部５２は、第２アタッカ５０が受容可能位置に回動したときに、その側面５２ａがレール飾り部４１の遊技領域４３に面する周面４１ｃに当接することで、第２アタッカ５０の回動を停止させる。これにより、遮蔽部５２はストッパとして機能する。
【００２６】
ソレノイド（移動装置）６５は、詳細は図示しないが、レール飾り部４１の内部に収納される。このソレノイド６５は、駆動鉄芯６６とボビン６７とから構成されている。このソレノイド６５は、遊技制御装置（駆動制御手段）７５からの給電を受けると、駆動鉄芯６６がボビン６７から突出し、遊技制御装置７５からの給電が停止されると、ボビン６７に内蔵されたバネ（図示せず）により駆動鉄芯６６がボビン６７の内部に収納される。上述した駆動鉄芯６６は円柱形状から構成され、その先端部６６ａが板状から構成されている。この先端部６６ａの厚みは、軸受け片６２と軸受け片６３との隙間に挿入できる厚みからなる。なお、この先端部６６ａには連結ピン７１が挿通される挿通穴６６ｂが形成されている。
【００２７】
このような第２アタッカ５０が組み込まれたパチンコ機の作用について説明する。遊技者が、供給皿１０に遊技球８０を供給し、操作ハンドル１１を操作すると、発射装置１５が駆動し、遊技球８０が遊技領域４３に向けて打ち出される。なお、発射装置１５によって打ち出された遊技球８０は、案内通路４２を介して遊技領域４３へと移動する。遊技領域４３に到達した遊技球８０は、その上方から障害釘、風車、センター役物２５等の外周面等に弾かれることで流下方向を変化させながら、遊技領域４３の下方へと流下する。そして、入賞チャッカー２８、始動チャッカー２７のいずれかに入賞すると、その入賞に合わせた遊技球８０が供給皿１０に払い出される。また、始動チャッカー２７に遊技球８０が入賞すると、通常状態の遊技よりも遊技球８０の入賞する割合が高くなる、「大当たり」状態、或いは「中当たり」状態のいずれかに移行するか否かの抽選が行われる。なお、これら入賞装置に入賞しない遊技球８０は、アウト口３３から回収される。
【００２８】
図７、図８に示すように、第２アタッカ５０は、通常状態で遊技を行っている際には、受容不能位置に保持されている。第２アタッカ５０が受容不能位置に保持されている場合、回収孔２１ｃは第２アタッカ５０の遮蔽部５２によって遮蔽されており、また、受容片５３の第１受容片５８の外壁面５８ｂがレール飾り部４１の周面４１ｃと面一となるので、レール飾り部４１の周面４１ｃに沿って流下する遊技球８０は、球受け部５１のリブ５４の外壁面５８ｂに沿って流下し、再びレール飾り部４１の周面４１ｃに沿って流下することになる。これにより、遊技球が回収孔２１ｃに誤って入賞することが防止できる。なお、このレール飾り部４１の周面４１ｃに沿って流下する遊技球８０は、アウト口３３にて回収される。
【００２９】
始動チャッカー２７に遊技球８０が入賞し移行抽選が行われると、図柄表示装置２６において図柄の変動表示が行われた後、移行抽選の結果が、図柄の停止表示等によって行われる。例えば、移行抽選で大当たりとなる場合には、図柄表示装置２６において、例えば「３−３−３」や、「７−７−７」の数字が３個停止表示され、遊技状態が通常状態から「大当たり」状態へと移行する。「大当たり」状態に移行すると、第１アタッカ２９の可動物が開放され、開放されてから例えば３０秒経過する、或いは、例えば１０個の遊技球８０が入賞するかのいずれかの条件が満足されると、一端閉口する。第１アタッカ２９の可動物が一端閉口した後、その開放時に１０個の遊技球８０が入賞した場合には、第１アタッカ２９の可動物が再度開放される。この動作は最大１５回繰り返し実行されると、「大当たり」状態が終了し、遊技状態が通常状態へと移行する。なお、第１アタッカ２９の可動物が開放されているときには、遊技球８０が入賞しやすくなっているので、「大当たり」状態に移行すると、通常状態よりも入賞がし易くなり、数多くの遊技球８０が得ることができる。
【００３０】
一方、上述した移行抽選にて中当たりとなる場合、図柄表示装置２６において、大当たりとは異なる表示（「３−３−３」や、「７−７−７」以外の図柄の組み合わせ）、つまり、例えば「１−１−１」や、「２−２−２」等の図柄の組み合わせが表示され、遊技状態が、通常状態から「中当たり」状態へと移行する。「中当たり」状態に移行すると、ソレノイド６５に通電が行われ、駆動鉄芯６６が図７中方向に移動し、ボビン６７から突出する。この駆動鉄芯６６の移動により、第２アタッカ５０が、図７中Ｄ方向へと回動する。
【００３１】
図９に示すように、第２アタッカが受容不能位置から受容可能位置へと回動すると、第２アタッカ５０の遮蔽部５２の側面５２ａがレール飾り部４１の周面４１ｃに当接し、その回動が停止される。この状態で、第２アタッカ５０が受容可能位置に保持される。第２アタッカ５０が受容可能位置に保持されると、球受け部５２が遊技領域４３に突出するので、遊技領域４３を落下する遊技球８０が球受け部５２によって受容される。
【００３２】
例えばレール飾り部４１の周面４１ｃに沿って流下した遊技球８０は、受容片５３の第２受容片５９の側壁面５９ａに沿って流下し、周壁面６０に到達する。周壁面６０は、回収孔に向けて下り傾斜しているので、周壁面６０まで導かれた遊技球８０は、回収孔２１ｃへと案内される。一方、遊技領域４３を流下する遊技球８０は、受容片５３の第１受容片５８の側壁面５８ａに当接した後に、該側壁面５８ａに沿って転動し、周壁面６０に到達する。この場合も同様に、周壁面６０まで導かれた遊技球８０は回収孔２１ｃへと案内される。この際、板５４が設けられているので、第１受容片５８の側壁面５８ａ、第２受容片５９の側壁面５９ａに沿って導かれる遊技球８０がガラスに衝突することを防止することができる。そして、図１０に示すように、回収孔２１ｃに案内された遊技球８０は、入賞検知センサ７６によって検知された後に、パチンコ機２の裏側に設けられた所定の回収箱へ回収される。なお、入賞検知センサ７６によって検知されると、所定個数の遊技球８０の払い出しが行われる。
【００３３】
遊技制御装置７５は、ソレノイド６５に給電を行ってからの経過時間を計時しており、例えば、給電を行ってから例えば２０秒経過した場合に、ソレノイド６５への給電を停止する。また、ソレノイド６５への給電を行ってからの経過時間が２０秒経過する前に、入賞検知センサ７６からの入賞信号の数が６となる場合に、ソレノイド６５への給電を停止する。図９に示すように、ソレノイド６５への給電を停止すると、ソレノイド６５のボビン６７の内部に設けられたバネによって、駆動鉄芯６６が図９中Ｅ方向へと移動し、ボビン６７の内部に引き込まれる。これにより、第２アタッカ５０が図９中Ｆ方向に回動し、第２アタッカ５０が、受容可能位置から受容不能位置へと回動する。第２アタッカ５０が受容不能位置へと回動したときに、入賞検知センサ７６からの入賞信号の数が６となっている場合には、遊技制御装置７５は、再度ソレノイドへ６５と給電を開始する。これにより、第２アタッカ５０が再度開くことになる。この動作は、例えば最大６回行われる。これにより、「中当たり」状態となると、「大当たり」状態ほどではないが、通常状態よりも多くの遊技球８０を得ることが可能となる。
【００３４】
これにより、通常状態では、レール飾り部４０の内部に第２アタッカ５０が収納され、「中当たり」状態となる場合に、遊技領域４３へと突出することになるので、遊技盤２１に第２アタッカ５０を配設する空間を新たに確保する必要がなく、遊技領域４３における入賞装置のレイアウトに幅を持たせることが可能となる。また、遊技領域規定枠に沿って遊技球を流下させることで、容易に第２アタッカ５０へと案内させることができる。また、従来のパチンコ機では、入賞装置に入賞しなかった遊技球はアウト口に回収されるしかなく、遊技者に対する興趣を与えることがないが、このように、アタッカ（本実施形態の第１アタッカ）よりも下方に可動物を設けることで、パチンコ機における単位時間当たりの入賞個数を増やすことができ、流下する遊技球に対する興趣を遊技者に与えることができる他に、今までアウト口へと案内する役割しかなかった領域（所謂、デッドスペース）に入賞領域が設けられることになるので、遊技領域におけるスペースの有効利用を行うことができる。
【００３５】
本実施形態では、遊技盤ユニットを遊技領域規定枠、遊技盤及び支持体とから構成した例を取り上げたが、これに限定する必要はなく、例えば遊技領域規定枠が組み込まれた遊技盤と支持体とからなる遊技盤ユニットから構成してもよい。
【００３６】
本実施形態では、移行抽選で中当たりとなる場合に、第２アタッカを受容不能位置から受容可能位置へと回動させたが、これに限定する必要はなく、受容可能位置と受容不能位置との間で、常時回動させるようにしてもよい。
【００３７】
本実施形態では、レール飾り部に１つの第２アタッカを配設した例を取り上げたが、これに限定する必要はなく、第２アタッカを複数箇所に設けることも可能である。また、遊技領域に、第１アタッカ、第２アタッカの２種類のアタッカを設けた実施例としたが、これに限定する必要はなく、遊技領域に第２アタッカのみを設け、「大当たり」状態に移行した場合に、開放させるようにしてもよい。さらに、本実施形態の第２アタッカのみを複数設ける場合には、そのそれぞれのアタッカの開放条件、入賞個数等をアタッカ毎に異なるようにすることで、遊技性に幅を持たせることができる。
【００３８】
本実施形態では、第２アタッカを受容不能位置と、受容可能位置との間で回動させる移動装置として、ソレノイドを用いたが、これに限定する必要はなく、例えばモータ及びギヤ機構を用いることも可能である。
【００３９】
本実施形態では、第２アタッカの球受け部を略Ｖ字形状から構成した例を取り上げたが、これに限定する必要はなく、第２アタッカの球受け部を例えば板形状としてもよい。図１１、或いは図１２に示すように、レール飾り部９０に凹部９０ａを設ける。例えば、通常状態で遊技が行われる場合には、第２アタッカ９１は、遊技領域を流下する遊技球９７を受容不可とする受容不能位置に保持されており、第２アタッカ９１の受け部９２が、凹部９０ａに収納される。このとき、受け部９２の側壁面９２ａが、レール飾り部９０の周面９０ｂの一部となる。第２アタッカ９１の遮蔽部９３によって回収孔９４が遮蔽されているので、遊技球９７が回収孔９４に案内されることがない。なお、符号９８は、回動軸であり、第２アタッカ９１の回動中心となる。
【００４０】
遊技制御装置９５によってモータ９６が正回転されると、第２アタッカ９１が図１１中Ｈ方向に回動し、第２アタッカ９１が受容不能位置から受容可能位置まで回動する。第２アタッカ９１が受容可能位置まで回動されると、遮蔽部９３の側壁面９３ａがレール飾り部９０の周面９０ｂに当接する。このとき、遮蔽部９３における回収孔９４の遮蔽が解除され、回収孔９４が露呈される。この場合、遊技領域を流下する遊技球９７が、第２アタッカ９１の受け部９２の側壁面９２ｂに当接した後に、回収孔９４にて回収される。なお、図示はしないが、遊技盤の裏側（レール飾り部９０が配設された面とは異なる面）には、回収孔９４に案内された遊技球を検知する検知センサが設けられているので、回収孔９４に案内された遊技球９７は検知センサによって検知される。そして、遊技制御装置９５によってモータ９６が逆回転すると、第２アタッカ９１が図１２中Ｉ方向に回動し、第２アタッカ９１の受け部９２がレール飾り部９０に設けられた凹部９０ａに収納され、第２アタッカ９１が、受容不能位置に保持される。
【図面の簡単な説明】
【００４１】
【図１】本発明のパチンコ機の外観を示す斜視図である。
【図２】遊技盤ユニットを本体部材から取り外した状態を示す斜視図である。
【図３】遊技盤ユニットの構成を示す斜視図である。
【図４】第２アタッカの周辺の構成を示す斜視図である。
【図５】図１に示す符号Ａの部分であって、第２アタッカが受容不能位置にある状態を示す斜視図である。
【図６】図１に示す符号Ａの部分であって、第２アタッカが受容可能位置にある状態を示す斜視図である。
【図７】受容不能位置にある第２アタッカ近傍の状態を、遊技盤に対面する方向から示す断面図である。
【図８】受容不能位置にある第２アタッカ近傍の状態を、遊技盤の幅方向から示す断面図である。
【図９】受容可能位置にある第２アタッカ近傍の状態を、遊技盤と対峙する方向から示す断面図である。
【図１０】受容可能位置にある第２アタッカ近傍の状態を、遊技盤の幅方向から示す断面図である。
【図１１】第２アタッカが異なる形状からなる場合であって、受容不能位置にある第２アタッカ近傍の状態を、遊技盤に対面する方向から示す断面図である。
【図１２】第２アタッカが異なる形状からなる場合であって、受容可能位置にある第２アタッカ近傍の状態を、遊技盤に対面する方向から示す断面図である。
【符号の説明】
【００４２】
２  パチンコ機
１５  発射装置
１６  払出装置
２１ｃ  回収孔
２３  レール飾り板（枠体）
４１  レール飾り部
４１ｃ  周面
４２  案内通路
４３  遊技領域
５０  第２アタッカ（可動役物）
５１  球受け部（受け部）
５２  遮蔽部
５３  リブ
５８ａ  側壁面（第２側壁面）
５８ｂ  側壁面（第１側壁面）
６５  ソレノイド（移動装置）
７５  遊技制御装置（駆動制御手段）
７６  入賞検知センサ（遊技球検知手段）
【図１】
2007068901.tif 000003
【図２】
2007068901.tif 000004
【図３】
2007068901.tif 000005
【図４】
2007068901.tif 000006
【図５】
2007068901.tif 000007
【図６】
2007068901.tif 000008
【図７】
2007068901.tif 000009
【図８】
2007068901.tif 000010
【図９】
2007068901.tif 000011
【図１０】
2007068901.tif 000012
【図１１】
2007068901.tif 000013
【図１２】
2007068901.tif 000014